(57)【要約】【課題】ブラインドの停止及び下降の各動作を短い手順で切換える。【解決手段】操作者が昇降コード１３を操作してブラインド１０を挟持位置又は許容位置に切換えることにより、ブラインド１０を停止させるか或いはブラインド１０が下降するように構成される。操作者が昇降コード１３を引下げる速度の差異により上記挟持位置又は許容位置に切換え可能に構成される。【選択図】図１０
2010196320.tif 000002
【特許請求の範囲】
【請求項１】
操作者が昇降コード(13)を操作してブラインド(10)を挟持位置又は許容位置に切換えることにより、前記ブラインド(10)を停止させるか或いは前記ブラインド(10)が下降するように構成されたブラインドのストッパ装置において、
前記操作者が前記昇降コード(13)を引下げる速度の差異により前記挟持位置又は許容位置に切換え可能に構成された
ことを特徴とするブラインドのストッパ装置。
【請求項２】
操作者が昇降コード(13)を操作してブラインド(10)を挟持位置又は許容位置に切換えることにより、前記ブラインド(10)を停止させるか或いは前記ブラインド(10)が下降するように構成されたブラインドのストッパ装置において、
ヘッドレール(12)のケース(26)内のスライダ(24)が前記挟持位置で係合子(34)を係止する挟持部(31a)と前記スライダ(24)が前記許容位置で前記係合子(34)を係止する許容部(31e)とを有する第１案内カム溝(31)に、前記係合子(34)を一旦停止させるリブ(31f)が設けられ、
前記スライダ(24)の移動方向と直交する方向への前記係合子(34)の移動を許容する第２案内カム溝(32)に、前記係合子(34)が前記リブ(31f)を乗り越えることを許容しない浅溝(32a)と、前記係合子(34)が前記リブ(31f)を乗り越えることを許容する深溝(32b)と、前記係合子(34)が前記浅溝(32a)から前記深溝(32b)に移動する際の移動抵抗を増大させる抵抗増大部(32d)とが設けられ、
前記操作者が前記昇降コード(13)を引下げる速度の差異により前記挟持位置又は許容位置に切換え可能に構成された
ことを特徴とするブラインドのストッパ装置。
【請求項３】
操作者が昇降コード(13)を操作してブラインド(10)を挟持位置又は許容位置に切換えることにより、前記ブラインド(10)を停止させるか或いは前記ブラインド(10)が下降するように構成され、ヘッドレール(12)に設けられたケース(26)内のスライダ(24)が前記挟持位置で係合子(34)を係止する挟持部(31a)と前記スライダ(24)が前記許容位置で前記係合子(34)を係止する許容部(31e)と前記昇降コード(13)の素早い引下げ時に前記係合子(34)が係止する高速操作係止部(31b)とを有する第１案内カム溝(31)が前記ケース(26)又は前記スライダ(24)に設けられ、前記スライダ(24)又は前記ケース(26)の前記第１案内カム溝(31)に対向する面に前記スライダ(24)の移動方向と直交する方向への前記係合子(34)の移動を許容する第２案内カム溝(32)が設けられたブラインドのストッパ装置であって、
前記第１案内カム溝(31)が、
前記昇降コード(13)の素早い引下げ時に前記係合子(34)を前記挟持部(31a)から前記高速操作係止部(31b)に移動させるように案内する第１溝(31c)と、
前記昇降コード(13)の素早い引下げ操作を停止したときに前記係合子(34)を前記高速操作係止部(31b)から前記挟持部(31a)に移動させるように案内する第２溝(31d)とを有し、
前記第１溝(31c)の途中に形成され前記挟持部(31a)から前記高速操作係止部(31b)に向う前記係合子(34)が前記高速操作係止部(31b)の手前で前記挟持部(31a)に戻ろうとするとき、前記第１溝(31c)を移動する前記係合子(34)が前記許容部(31e)に係止して、前記係合子(34)が前記第１溝(31c)を通って前記挟持部(31a)に戻ることを阻止し、
前記第２案内カム溝(32)が、
前記スライダ(24)の移動方向と略直交する方向に延びる浅溝(32a)と、
前記浅溝(32a)と略平行に設けられ前記浅溝(32a)より深い深溝(32b)と、
前記浅溝(32a)の一端と前記深溝(32b)の一端とを連結する連結溝(32c)と、
前記係合子(34)が前記第１溝(31c)内の前記許容部(31e)に対向する位置と前記浅溝(32a)内の中央位置とに収容された状態から前記高速操作係止部(31b)に移動するまでの間に前記係合子(34)の移動抵抗を増大させる抵抗増大部(32d)とを有することを特徴とするブラインドのストッパ装置。
【請求項４】
抵抗増大部(32d)が浅溝(32a)の長手方向の中央と深溝(32b)の長手方向の中央とを連結し前記浅溝(32a)より浅い連結溝であり、係合子(34)が前記抵抗増大部(32d)を移動するときに移動抵抗が増大するように構成された請求項３記載のブラインドのストッパ装置。
【発明の詳細な説明】
【技術分野】
【０００１】
本発明は、ブラインドの昇降コードの挟持及び解放を切換えることによって、ブラインドの停止及び下降の各動作を順次に行わせるブラインドのストッパ装置に関するものである。
【背景技術】
【０００２】
従来、この種のブラインドのストッパ装置として、昇降コードが挿通するストッパケースと、ストッパケース内を昇降コードの移動方向に移動可能となった移動枠と、移動枠に軸支される挟持ローラと、上記昇降コードの移動方向と直交する方向に相対移動可能に移動枠に支持される切換部材と、ストッパケースに固定される挟持部材とから構成されたブラインドの昇降コードストッパ装置が開示されている（例えば、特許文献１参照。）。この昇降コードストッパ装置では、ストッパケースに、挟持ローラと噛合可能なローレット部と、挟持ローラを空転可能な切欠部が形成される。挟持ローラがローレット部に噛み合った状態で、昇降コードが移動すると、挟持ローラが回転しかつ昇降コードからの摩擦を受けて、ローレット部に案内され挟持ローラが移動して、移動枠が移動できるようになっている。一方、切換部材には案内カム溝が形成されており、案内カム溝にはストッパケースに嵌め合わされる係合子が挿入される。そして、係合子が案内カム溝に形成された４つの係止部に係止すると、移動枠の移動を規制し、移動枠が昇降コードと一緒に移動できなくなるようになっている。
【０００３】
即ち、従来の案内カム溝には、図１２に示すように、第１〜第４係止部１〜４が形成される。そして、ブラインド停止時は係合子６が第１係合部１に位置し、その状態で挟持ローラと挟持部材との間で昇降コードを挟み付けて、昇降コードの移動を拘束している。一方、ブラインドの上昇方向に昇降コードを移動させると、昇降コードからの摩擦を受けて、移動枠が移動する。これに伴って、係合子６が第１係合部１から案内カム溝を相対移動して第２係止部２に移動する。この第２係止部２に係合子６が係止されると移動枠の移動が規制されて、昇降コードのみが移動して、ブラインドを上昇できる。次いで、ブラインドの下降方向に昇降コードを移動させると、昇降コードとともに移動枠が移動し、係合子６が第２係止部２から脱出して案内カム溝を相対移動して第３係止部３に到達する。この第３係止部３に係合子６が係止されると移動枠の移動が規制され、昇降コードのみが移動して、ブラインドを下降できる。次に、ブラインドの上昇方向に昇降コードを移動させると、昇降コードとともに移動枠が移動し、係合子６が第３係止部３から脱出して案内カム溝を相対移動し、案内カム溝に形成された更に別の第４係止部４に到達する。この第４係止部４に係合子が係止されると移動枠の移動が規制され、昇降コードのみが移動して、ブラインドを上昇できる。更に、ブラインドの下降方向に昇降コードを移動させると、昇降コードとともに移動枠が移動し、係合子が第４係止部４から脱出して案内カム溝を相対移動し、停止時の第１係止部１に戻り、挟持ローラと挟持部材との間で昇降コードを挟み付けて、昇降コードの移動を拘束するようになっている。
【先行技術文献】
【特許文献】
【０００４】
【特許文献１】特開平７−７６９８０号公報（明細書［０００４］、［０００５］、図２）
【発明の概要】
【発明が解決しようとする課題】
【０００５】
しかし、上記従来の特許文献１に示されたブラインドの昇降コードストッパ装置では、案内カム溝と、その案内カム溝に嵌め合わされる係合子との関係によって、停止→上昇→下降→上昇→停止といった動作手順が一義的に決められる。このため、停止から上昇させた後、停止及び上昇を繰返す動作を行わせたい場合にも、上記手順に従って行わなければならない。このため、例えば、通常のブラインドで最下限高さから最上限高さまで上昇させる場合、昇降コードを１回引下げただけでは、最上限高さまでブラインドを上昇させることはできないため、途中で一度昇降コードを停止させた後に再び引下げる引継ぎ操作を行う必要が生じる。この場合、上記従来の動作手順に従わなければならず、引継ぎ操作が煩わしくなるという未だ解決すべき課題が残存していた。
【０００６】
本発明の目的は、ブラインドの停止及び下降の各動作を短い手順で切換えることができるブラインドのストッパ装置を提供することにある。
【課題を解決するための手段】
【０００７】
本発明の第１の観点は、図１及び図８〜図１０に示すように、操作者が昇降コード１３を操作してブラインド１０を挟持位置又は許容位置に切換えることにより、ブラインド１０を停止させるか或いはブラインド１０が下降するように構成されたブラインドのストッパ装置において、操作者が昇降コード１３を引下げる速度の差異により挟持位置又は許容位置に切換え可能に構成されたことを特徴とする。
【０００８】
本発明の第２の観点は、図１、図３及び図７〜図１０に示すように、操作者が昇降コード１３を操作してブラインド１０を挟持位置又は許容位置に切換えることにより、ブラインド１０を停止させるか或いはブラインド１０が下降するように構成されたブラインドのストッパ装置において、ヘッドレール１２のケース２６内のスライダ２４が挟持位置で係合子３４を係止する挟持部３１ａとスライダ２４が許容位置で係合子３４を係止する許容部３１ｅとを有する第１案内カム溝３１に、係合子３４を一旦停止させるリブ３１ｆが設けられ、スライダ２４の移動方向と直交する方向への係合子３４の移動を許容する第２案内カム溝３２に、係合子３４がリブ３１ｆを乗り越えることを許容しない浅溝３２ａと、係合子３４がリブ３１ｆを乗り越えることを許容する深溝３２ｂと、係合子３４が浅溝３２ａから深溝３２ｂに移動する際の移動抵抗を増大させる抵抗増大部３２ｄとが設けられ、操作者が昇降コード１３を引下げる速度の差異により挟持位置又は許容位置に切換え可能に構成されたことを特徴とする。
【０００９】
本発明の第３の観点は、図１、図３及び図７〜図１０に示すように、操作者が昇降コード１３を操作してブラインド１０を挟持位置又は許容位置に切換えることにより、ブラインド１０を停止させるか或いはブラインド１０が下降するように構成され、ヘッドレール１２に設けられたケース２６内のスライダ２４が挟持位置で係合子３４を係止する挟持部３１ａとスライダ２４が許容位置で係合子３４を係止する許容部３１ｅと昇降コード１３の素早い引下げ時に係合子３４が係止する高速操作係止部３１ｂとを有する第１案内カム溝３１がケース２６又はスライダ２４に設けられ、スライダ２４又はケース２６の第１案内カム溝３１に対向する面にスライダ２４の移動方向と直交する方向への係合子３４の移動を許容する第２案内カム溝３２が設けられたブラインドのストッパ装置であって、第１案内カム溝３１が、昇降コード１３の素早い引下げ時に係合子３４を挟持部３１ａから高速操作係止部３１ｂに移動させるように案内する第１溝３１ｃと、昇降コード１３の素早い引下げ操作を停止したときに係合子３４を高速操作係止部３１ｂから挟持部３１ａに移動させるように案内する第２溝３１ｄとを有し、第１溝３１ｃの途中に形成され挟持部３１ａから高速操作係止部３１ｂに向う係合子３４が高速操作係止部３１ｂの手前で挟持部３１ａに戻ろうとするとき、第１溝３１ｃを移動する係合子３４が許容部３１ｅに係止して、係合子３４が第１溝３１ｃを通って挟持部３１ａに戻ることを阻止し、第２案内カム溝３２が、スライダ２４の移動方向と略直交する方向に延びる浅溝３２ａと、浅溝３２ａと略平行に設けられ浅溝３２ａより深い深溝３２ｂと、浅溝３２ａの一端と深溝３２ｂの一端とを連結する連結溝３２ｃと、係合子３４が第１溝３１ｃ内の許容部３１ｅに対向する位置と浅溝３２ａ内の中央位置とに収容された状態から高速操作係止部３１ｂに移動するまでの間に係合子３４の移動抵抗を増大させる抵抗増大部３２ｄとを有することを特徴とする。
【００１０】
本発明の第４の観点は、第３の観点に基づく発明であって、更に図１、図３及び図７〜図９に示すように、抵抗増大部３２ｄが浅溝３２ａの長手方向の中央と深溝３２ｂの長手方向の中央とを連結し浅溝３２ａより浅い連結溝であり、係合子３４が抵抗増大部３２ｄを移動するときに移動抵抗が増大するように構成されたことを特徴とする。
【発明の効果】
【００１１】
本発明の第１の観点のストッパ装置では、操作者が昇降コードを素早く引下げた後に、昇降コードの素早い引下げ操作を停止すると、ブラインドは挟持位置に切換えられるため、ブラインドはその位置で停止する。このため昇降コードを再び素早く引下げてもう一度停止させる引継ぎ操作を行うことにより、ブラインドの上昇、停止、上昇、停止を繰返すことができる。一方、操作者が昇降コードを緩やかに引下げた後に、昇降コードの緩やかな引下げ操作を停止すると、ブラインドが許容位置に切換えられるため、ブラインドはその自重で下降する。このようにブラインドの停止及び下降の各動作を短い手順で切換えることができる。
【００１２】
本発明の第２の観点のストッパ装置では、操作者が昇降コードを素早く引下げると、係合子が抵抗増大部を速やかに通過して高速操作係止部に達するため、操作者による昇降コードの素早い引下げ操作を許容し、昇降コードの引下げ操作を停止すると、係合子が高速操作係止部から挟持部に移動するため、ブラインドが挟持位置に切換えられてその位置で停止する。このため昇降コードを再び素早く引下げてもう一度停止させる引継ぎ操作を行うことにより、ブラインドの上昇、停止、上昇、停止を繰返すことができる。一方、操作者が昇降コードを緩やかに引下げると、係合子の移動抵抗が抵抗増大部で増大して係合子が抵抗増大部に係止した状態に保たれるので、操作者による昇降コードの緩やかな引下げ操作を許容し、昇降コードの引下げ操作を停止すると、係合子が許容部に移動するため、ブラインドは許容位置に切換えられてその自重で下降する。このようにブラインドの停止及び下降の各動作を短い手順で切換えることができる。
【００１３】
本発明の第３の観点のストッパ装置では、係合子を係止して係合子が挟持部に戻ることを阻止する許容部を第１案内カム溝に設け、係合子が第１溝内の許容部に対向する位置と浅溝内の中央位置とに収容された状態から高速操作係止部に移動するまでの間に係合子の移動抵抗を増大させる抵抗増大部を第２案内カム溝に設けたので、操作者が昇降コードを素早く引下げると、係合子が抵抗増大部を速やかに通過して高速操作係止部に達し、操作者による昇降コードの素早い引下げ操作を許容する。そして昇降コードの引下げ操作を停止すると、係合子が高速操作係止部から挟持部に移動するため、ブラインドが挟持位置に切換えられてその位置で停止する。このため昇降コードを再び素早く引下げてもう一度停止させる引継ぎ操作を行うことにより、ブラインドの上昇、停止、上昇、停止を繰返すことができる。一方、操作者が昇降コードを緩やかに引下げると、係合子の移動抵抗が抵抗増大部で増大して係合子が抵抗増大部に係止した状態に保たれるので、操作者による昇降コードの緩やかな引下げ操作が許容される。そして昇降コードの引下げ操作を停止すると、係合子が許容部に移動するため、ブラインドは許容位置に切換えられてその自重で下降する。このようにブラインドの停止及び下降の各動作を短い手順で切換えることができる。
【００１４】
本発明の第４の観点のストッパ装置では、抵抗増大部が浅溝の長手方向の中央と深溝の長手方向の中央とを連結し浅溝より浅い連結溝であり、係合子が抵抗増大部を移動するときに移動抵抗が増大するように構成したので、操作者による昇降コードの素早い引下げ中に、係合子が抵抗増大部に達してその移動抵抗が増大しても、係合子が抵抗増大部を速やかに通過して高速操作係止部に達し、上記と同様に引継ぎ操作を行うことにより、係合子は第１案内カム溝の挟持部と許容部を往復移動し、ブラインドの上昇、停止、上昇、停止を繰返すことができる。一方、操作者による昇降コードの緩やかな引下げ中に、係合子が抵抗増大部に達すると、係合子が抵抗増大部に係止した状態に保たれるので、昇降コードの他端の引下げ力を解除すると、係合子はその抵抗増大部から許容部に移動し、係合子が挟持部に戻ることが阻止される。これにより、ブラインドは下降することができる。このようにブラインドの停止及び下降の各動作を短い手順で切換えることができる。
【図面の簡単な説明】
【００１５】
【図１】本発明実施形態のストッパ装置において引継ぎ操作を繰返してスクリーンをたくし上げるときの係合子、第１案内カム溝及び第２案内カム溝の動作を示す図３の矢視Ａの方向から透視した図である。
【図２】そのスクリーンを下降させるときの係合子、第１案内カム溝及び第２案内カム溝の動作を示す図１に対応する図である。
【図３】昇降コードの素早い引下げ操作中にストッパ装置の係合子が高速操作係止部に位置している状態を示す図５のＢ−Ｂ線断面図である。
【図４】そのストッパ装置が昇降コードを挟持した状態を示す図６のＣ−Ｃ線断面図である。
【図５】昇降コードの素早い引下げ操作中にストッパ装置の係合子が高速操作係止部に位置している状態を示す平面図である。
【図６】そのストッパ装置が昇降コードを挟持した状態を示す平面図である。
【図７】スライダの平面図である。
【図８】図７のＤ−Ｄ線断面図である。
【図９】ケースの蓋を裏返して第１案内カム溝を上側に向けた状態を示す要部斜視図である。
【図１０】そのストッパ装置を備えたローマンシェードの斜視図である。
【図１１】スクリーンが途中までたくし上げられた状態を示すローマンシェードの斜視図である。
【図１２】従来のストッパ装置における案内カム溝の平面図である。
【発明を実施するための形態】
【００１６】
次に本発明を実施するための形態を図面に基づいて説明する。図１０及び図１１に示すように、ローマンシェード１０は、図示しない固定用ブラケットを介して部屋の壁面や天井に取付けられたヘッドレール１２と、このヘッドレール１２に上端が取付けられヘッドレール１２の長さと略同一の幅を有するスクリーン１１と、ヘッドレール１２から昇降可能に垂下されてその下端がスクリーン１１の下部に連結された昇降コード１３とを備える。
【００１７】
ヘッドレール１２は、アルミニウム合金等の金属の押出し成形又は引抜き成形により作られたレール本体１２ａと、レール本体１２ａの両端部に設けられた蓋体１２ｂとを備える。ヘッドレール１２の内部空間には、複数（図１０及び図１１の例では３個）のコード挿通部材１４がヘッドレール１２の長手方向に間隔をあけて収容される。また、ヘッドレール１２の内部空間には、コード挿通部材１４の数に相応する本数の昇降コード１３が挿通され、これらの昇降コード１３の一端部は、対応する所定のコード挿通部材１４からスクリーン１１の背面に添って垂下される。スクリーン１１には上下方向に所定の間隔をあけて複数本の横桿１６が取付けられ、ヘッドレール１２から垂下された昇降コード１３が横桿１６と交差するスクリーン１１の背面にはコードリング１７が取付けられる。このため、スクリーン１１の背面にはコードリング１７が鉛直方向に所定の間隔をあけて取付けられる。また、スクリーン１１の下縁にはウエイトバー１８が取付けられる。
【００１８】
ヘッドレール１２の内部空間に挿通された複数の昇降コード１３の他端部は、ヘッドレール１２の内部空間を一方（図では左方向）に導かれて、ヘッドレール１２の端部に設けられた停止手段であるストッパ装置２０に挿通された後、ヘッドレール１２の端部から垂下されて操作つまみ１９に連結される。ストッパ装置２０は、操作つまみ１９が設けられた側の昇降コード１３の上昇をそれぞれ阻止又は許容するように構成される。そして、ストッパ装置２０は、操作つまみ１９が設けられた側の昇降コード１３を素早く引下げた後に昇降コード１３の素早い引下げ操作を停止するとその昇降コード１３の上昇が阻止されてブラインド１０が停止し、操作つまみ１９が設けられた側であって上昇が阻止された昇降コード１３を緩やかに引下げた後にこの昇降コード１３の緩やかな引下げ操作を停止すると昇降コード１３の上昇が許容されてブラインド１０が下降するように構成される。ここで、図１０及び図１１における符号１９ａは操作つまみ１９をスクリーン１１の下端に連結する連結紐である。
【００１９】
ヘッドレール１２に内蔵されて対応する所定のコード挿通部材１４から垂下された昇降コード１３の一端側は、スクリーン１１の背面に鉛直方向に所定の間隔をあけて取付けられた複数のコードリング１７に挿通されて鉛直下方に配索された後、スクリーン１１の下端に取付けられた最下端のコードリング１７に、コード係止部材２１を介して連結される。このように構成されたローマンシェード１０では、図１０に示すようにスクリーン１１がその自重及びウエイトバー１８の重量で下降すると、ヘッドレール１２のコード挿通部材１４から垂下されてスクリーン１１に連結された側の昇降コード１３が下降し、操作つまみ１９が設けられた側の昇降コード１３を上昇する。一方、操作つまみ１９が設けられた側の昇降コード１３を引下げると、図１１に示すようにスクリーン１１に連結された側の昇降コード１３が上昇してスクリーン１１をたくし上げることができるように構成される。なお、本発明のストッパ装置２０は、このようなローマンシェードに限らず、横型ブラインド、プリーツスクリーン等の任意のブラインドに適用することもできる。
【００２０】
図３〜図６に示すように、ストッパ装置２０は、操作者が操作つまみ１９の設けられた側の昇降コード１３を操作してローマンシェード１０を挟持位置又は許容位置に切換えることにより、ローマンシェード１０を停止させるか或いはローマンシェード１０が下降するように構成される。具体的には、ストッパ装置２０は、ヘッドレール１２に設けられこのヘッドレール１２内に配索された複数本の昇降コード１３が挿通されるケース２６と、ケース２６に昇降コード１３とともに所定の距離だけ移動可能に設けられた上記スライダ２４と、ケース２６とスライダ２４との間に設けられ挟持位置で昇降コード１３を挟持し許容位置で昇降コード１３の移動を許容するコード挟持制御手段２９と、ケース２６に設けられた第１案内カム溝３１と、スライダ２４の第１案内カム溝３１に対向する面に設けられた第２案内カム溝３２と、第１案内カム溝３１と第２案内カム溝３２との間に収容されこれらの溝３１，３２内を移動する球状の係合子３４とを備える。
【００２１】
ケース２６は、ケース本体２７と蓋２８とを有する。ケース本体２７は上面と両端と両側上部とが開口した略直方体の箱状に形成される。蓋２８は、ケース本体２７の開口する上面を閉止する蓋本体２８ａと、蓋本体２８ａの両側に垂下されケース本体２７の両側上部を閉止する一対の蓋用側片２８ｂとからなる。蓋２８は第１ピン２６ａ及び第２ピン２６ｂによりケース本体２７に固定される（図３〜図６）。スライダ２４は略門型に形成され、スライダ用上片２４ａと、このスライダ用上片２４ａの両側に垂下された一対のスライダ用側片２４ｂ，２４ｂとを有する（図５〜図７）。蓋用側片２８ｂには、蓋２８の長手方向に延びる一対のガイド用孔２８ｃがそれぞれ形成され、スライダ用上片２４ａの両端には一対のガイド用孔２８ｃに摺動可能にそれぞれ挿入される一対のガイド用突起２４ｃ，２４ｃが設けられる。これによりスライダ２４はケース本体２７内を所定の距離だけ昇降コード１３の移動方向に移動可能（往復動可能）に構成される。
【００２２】
コード挟持制御手段２９は、スライダ２４の昇降コード移動方向の一端側に回転可能かつ上下動可能に取付けられ外周面に昇降コード１３が食い込み可能な歯が形成された歯付きローラ２９ａ（挟持部材）と、蓋２８の昇降コード移動方向の一端側の下面に形成され昇降コード１３が食い込み可能なアッパ歯部２９ｂ（受け部）と、ケース本体２７にアッパ歯部２９ｂに対向して形成され昇降コード移動方向の一端側に向うに従って徐々に登る階段状に形成され歯付きローラ２９ａの歯に噛合可能なロア歯部２９ｃ（案内部）とを有する。一対のスライダ用側片２４ｂ，２４ｂには鉛直方向に延びる一対の縦孔２４ｄがそれぞれ形成され、これらの縦孔２４ｄに歯付きローラ２９ａの一対の軸部２９ｄ，２９ｄを挿入することにより、歯付きローラ２９ａが回転可能かつ上下動可能に構成される。なお、図３及び図４の符号２４ｅは昇降コード移動方向の中央で上方に向って突出するように一対のスライダ用側片２４ｂ，２４ｂ間に掛け渡されたロア突起であり、符号２４ｆは昇降コード移動方向の他端側でスライダ用上片２４ａの下面から下方に向って突設されたアッパ突起である。これらの突起２４ｅ，２４ｆにより昇降コード１３が互い違いに挟まれてスライダ２４が昇降コード１３とともに所定の距離だけ移動するように構成される。また上記突起２４ｅ，２４ｆは、ケース２６内に挿通された複数本の昇降コード１３が互いに絡み合うのを阻止する機能も有する。更に図３〜図６の符号３３はケース本体２７の昇降コード移動方向の他端側に回転可能に取付けられた受けローラであり、この受けローラ３３は昇降コード１３を受けてケース２７内に案内するように構成される。なお、この実施の形態では、コード挟持制御手段の歯付ローラ（挟持部材）をスライダに設け、アッパ歯部（受け部）をケースに設けたが、コード挟持制御手段の歯付ローラ（挟持部材）をケースに設け、アッパ歯部（受け部）をスライダに設けてもよい。
【００２３】
スクリーン１１とともにウエイトバー１８を下降させる方向、具体的には、図４及び図６に示すように、昇降コード１３の一端側を引下げる方向にスライダ２４が移動してケース２６内の一端部（図４及び図６における右端部）に接近している状態においては、歯付きローラ２９ａがロア歯部２９ｃによってアッパ歯部２９ｂの方へと押圧されており、挟持部材である歯付きローラ２９ａと受け部であるアッパ歯部２９ｂとにより昇降コード１３が挟持されて、昇降コード１３の移動は拘束される。このように、スライダ２４の挟持位置（図４及び図６）では、歯付きローラ２９ａとアッパ歯部２９ｂとにより昇降コード１３が挟持され、ローマンシェード１０のスクリーン１１はその高さで停止するように構成される。一方、スクリーン１１とともにウエイトバー１８を上昇させる方向、即ちスクリーン１１に連結された側の昇降コード１３を引上げる方向にスライダ２４が移動すると、スライダ２４は図４及び図６に示す位置から図３及び図５に示す位置に移動する。具体的には、昇降コード１３の一端側を引上げる方向にスライダ２４が移動して、このスライダ２４がケース２６内の中央部に位置する。このスライダ２４の中央位置（図３及び図５に示すスライダ２４の位置）では、挟持部材である歯付きローラ２９ａが受け部であるアッパ歯部２９ｂから離間してスクリーン１１に連結された側の昇降コード１３の上昇、即ち操作つまみ１９の設けられた側の昇降コード１３の下降が許容されるように構成される。
【００２４】
一方、上記第１案内カム溝３１は蓋２８の下面に設けられ、この第１案内カム溝３１に係合子３４の略上半分が収容される。また上記第２案内カム溝３２はスライダ用上片２４ａの上面に設けられ、この第２案内カム溝３２に係合子３４の略下半分が収容される。第１案内カム溝３１は、図１及び図２に示すように、スライダ２４が昇降コード１３を挟持する挟持位置（図４及び図６に示すスライダ２４の位置）で係合子３４を係止する挟持部３１ａ（図１（ａ））と、スライダ２４が操作つまみ１９の設けられた側の昇降コード１３の上昇（スクリーン１１の下降）を許容する許容位置で係合子３４を係止する許容部３１ｅ（図２（ｄ））と、昇降コード１３の他端部の素早い引下げ時に係合子３４が係止する高速操作係止部３１ｂと、昇降コード１３の他端部の素早い引下げ操作時に係合子３４を挟持部３１ａから高速操作係止部３１ｂに移動させるように案内する第１溝３１ｃと、昇降コード１３の他端部の素早い引下げ操作の停止時に係合子３４を高速操作係止部３１ｂから挟持部３１ａに移動させるように案内する第２溝３１ｄとを有する。
【００２５】
許容部３１ｅは、第１溝３１ｃの途中に設けられ、挟持位置から高速操作係止位置に向うスライダ２４が高速操作係止位置の手前で挟持位置に戻ろうとするとき、第１溝３１ｃを移動する係合子３４が許容部３１ｅに係止して、係合子３４が第１溝３１ｃを通って挟持部３１ａに戻ることを阻止するように構成される。換言すれば、第１案内カム溝３１は、アッパ歯部２９ｂ側の挟持部３１ａと受けローラ３３側の高速操作係止部３１ｂとが第１溝３１ｃ及び第２溝３１ｄにより連結され、かつ第１溝３１ｃ及び第２溝３１ｄの長手方向中央が互いに離れて幅広に構成される。また挟持部３１ａはアッパ歯部２９ｂに向って昇降コード１３の長手方向に直線状に延びて設けられ、高速操作係止部３１ｂは第１溝３１ｃ及び第２溝３１ｄが受けローラ３３に向うに従って互いに次第に近付き第１溝３１ｃ及び第２溝３１ｄの合流部分に設けられる。第１案内カム溝３１の中央には、昇降コード１３の長手方向に対して略４５度の方向に延びかつ高さが蓋本体２８ａの裏面と同一である土手部３１ｇが設けられ、この土手部３１ｇにより第１案内カム溝３１が第１溝３１ｃ及び第２溝３１ｄに分離される。更に許容部３１ｅは土手部３１ｇの長手方向に対して略直角方向であって土手部３１ｇから所定の距離だけ離れた位置に設けられる。この許容部３１ｅを設けることにより第１溝３１ｃの幅が部分的に拡げられる。なお、土手部３１ｇの高速操作係止部３１ｂ側の端部から土手部３１ｇの長手方向に対して略直角方向に第１溝３１ｃ内に延びてリブ３１ｆが設けられる。このリブ３１ｆは挟持部３１ａから高速操作係止部３１ｂに向う係合子３４を一旦停止させる機能を有する。
【００２６】
一方、第２案内カム溝３２はスライダ２４の移動方向と略直交する方向への係合子３４の移動を許容するように構成される。即ち、第２案内カム溝３２は、スライダ２４の移動方向と略直交する方向に延びる浅溝３２ａと、浅溝３２ａと略平行に設けられ浅溝３２ａより深い深溝３２ｂと、浅溝３２ａの一端と深溝３２ｂの一端とを連結する連結溝３２ｃと、係合子３４が浅溝３２ａから深溝３２ｂに移動する際の移動抵抗を増大させる抵抗増大部３２ｄとを有する。浅溝３２ａは係合子３４がリブ３１ｆを乗り越えることを許容しない深さに設定され、深溝３２ｂは係合子３４がリブ３１ｆを乗り越えることを許容する深さに設定される。抵抗増大部３２ｄは浅溝３２ａの長手方向の中央と深溝３２ｂの長手方向の中央とを連結し浅溝３２ａより浅い連結溝であり、係合子３４が抵抗増大部３２ｄ移動するときに移動抵抗が増大するように構成される。即ち、第１案内カム溝３１の深さ、リブ３１ｆの高さ及び抵抗増大部３２ｄの深さは、係合子３４が第１溝３１ｃ内でリブ３１ｆに接した状態で抵抗増大部３２ｄを通過するときに移動抵抗が増大するようにそれぞれ設定される。具体的には、第１案内カム溝３１の深さＤ1と浅溝３２ａの最深部の深さＤ2との合計は、係合子３４の直径ｄより大きく設定され、第１案内カム溝３１の深さＤ1からリブ３１ｆの高さＨを引いた値と抵抗増大部３２ｄの深さＤ3との合計は、係合子３４の直径より小さく設定される（図８及び図９）。また（Ｄ1＋Ｄ4）／ｄ＝１．４〜１．８、好ましくは１．５〜１．７の範囲に設定される。（Ｄ1＋Ｄ4）／ｄ＝１．４〜１．８の範囲に設定したのは、抵抗増大部３２ｄで係合子３４に適度な移動抵抗を与えるためである。更に第１案内カム溝３１の深さＤ1からリブ３１ｆの高さＨを引いた値と深溝３２ｂの深さＤ4との合計は、係合子３４の直径より大きく設定される。
【００２７】
なお、高速操作係止部３１ｂに係止した係合子３４の中心を通りかつ昇降コード１３に平行な直線は、土手部３１ｇの高速操作係止部３１ｂに近い端面角部を通りかつ昇降コード１３に平行な直線より第２溝３１ｄ側に位置するように構成される。これにより昇降コード１３の素早い引下げ時に高速操作係止部３１ｂに係止していた係合子３４が、昇降コード１３の操作を停止してその引下げ力を解除したときに、第２溝３１ｄを通って挟持部３１ａに戻るように構成される。また抵抗増大部３２ｄに係止した係合子３４の中心を通りかつ昇降コード１３に平行な直線は、挟持部３１ａと許容部３１ｅを連結する角部を通りかつ昇降コード１３に平行な直線より第１溝３１ａ側に位置するように構成される。これにより昇降コード１３の緩やかな引下げ時に抵抗増大部３２ｄに係止していた係合子３４が、昇降コード１３の操作を停止してその引下げ力を解除したときに、第１溝３１ａを通って許容部３１ｅに至るように構成される。更に昇降コード１３の素早い引下げ操作（高速操作）とは、昇降コード１３を７０〜１００ｃｍ／秒の範囲内の速度で引下げる操作をいい、昇降コード１３の緩やかな引下げ操作（低速操作）とは、昇降コード１３を０ｃｍ／秒を越え３０ｃｍ／秒未満の範囲内の速度で引下げる操作をいう。昇降コード１３の高速操作時の引下げ速度を１００ｃｍ／秒を越えると昇降コード１３やスライダ２４等に大きな力が作用してこれらを損傷するおそれがあるからである。
【００２８】
このように構成されたストッパ装置２０の動作を説明する。図４及び図６に示すように、スライダ２４がケース２６内の一端部（図４及び図６における右端部）に接近している状態においては、歯付きローラ２９ａがロア歯部２９ｃによってアッパ歯部２９ｂの方へと押圧されており、歯付きローラ２９ａとアッパ歯部２９ｂとにより昇降コード１３が挟持されて、昇降コード１３の移動は拘束される。従って、ローマンシェードのスクリーン１１はその高さで停止している。このように、スライダ２４が挟持位置では、図１（ａ）に示すように、係合子３４は、第１案内カム溝３１の挟持部３１ａに係止される。
【００２９】
図４及び図６の状態から、ローマンシェードのスクリーン１１を上昇させる場合には、操作部である昇降コード１３の他端を素早く引下げる。これにより、図４及び図６中、昇降コード１３は左側へと移動する。昇降コード１３の移動に追随して、スライダ２４が移動する。これに伴って、相対的に係合子３４は、挟持部３１ａを出発して第１溝３１ｃ内を移動し、高速操作係止部３１ｂに向う。このとき、係合子３４は第１溝３１ｃに形成された抵抗増大部３２ｄに達し、係合子３４の許容部３１ｅに対向する位置（第１溝３１ｃ内で土手部３１ｇ及びリブ３１ｆに接する位置）から高速操作係止部３１ｂまでの移動抵抗が増大する（図１（ｂ）〜図１（ｄ））。具体的には、係合子３４の下部が第１溝３１ｃ内で土手部３１ｇ及びリブ３１ｆに接した状態で、スライダ２４の移動に伴って係合子３４の上部が浅溝３２ａから抵抗増大部３２ｄを通って深溝３２ｂに相対的に移動する。このとき係合子３４に適度な移動抵抗が与えられる。しかし、昇降コード１３を素早く引下げると、係合子３４はその抵抗増大部３２ｄを通過して高速操作係止部３１ｂにまで移動する（図１（ｅ））。
【００３０】
係合子３４が高速操作係止部３１ｂに到達すると、それ以上のスライダ２４のケース２６に対する移動は規制されて、図３及び図５に示す状態となる。この状態では、歯付きローラ２９ａがアッパ歯部２９ｂから離間するため、もはや歯付きローラ２９ａとアッパ歯部２９ｂとにより昇降コード１３は挟持されておらず、昇降コード１３が解放される。そこで、昇降コード１３の他端を引下げる操作の継続が可能となり、その操作を継続することにより、即ち昇降コード１３の引継ぎ操作を行うことにより、昇降コード１３はロア突起２４ｅとアッパ突起２４ｆとの間を通り抜けて、昇降コード１３の一端が上昇させられて、スクリーン１１は上昇する。
【００３１】
次に、昇降コード１３の他端の引下げ力を解除すると、スクリーン１１及びウエイトバー１８の自重によって、昇降コード１３は図３及び図５中、右側へと移動する。このため、昇降コード１３を互い違いに挟むロア突起２４ｅ及びアッパ突起２４ｆによって、昇降コード１３とともにスライダ２４が移動する。これに伴って、図１（ｆ）に示すように、相対的に係合子３４が高速操作係止部３１ｂを出発し、第２溝３１ｄを通って再び挟持部３１ａへと向い、スライダ２４は、昇降コード１３とともに右端へと移動する。このとき係合子３４は深溝３２ｂから連結溝３２ｃを通って浅溝３２ａに移動する（図１（ｆ）〜図１（ｈ））。これにより、図４及び図６に示すように、歯付きローラ２９ａがロア歯部２９ｃによって右端へと向うに従いアッパ歯部２９ｂに接近するように上昇し、歯付きローラ２９ａとアッパ歯部２９ｂとにより昇降コード１３が挟持される。このため、昇降コード１３の移動は拘束され、スクリーン１１は停止することになる。以上の動作、即ち、昇降コード１３の他端における操作部を引下げる操作により、係合子３４は、図１（ａ）〜図１（ｉ）で示す順序で相対的に第１案内カム溝３１の挟持部３１ａと高速操作係止部３１ｂを往復移動し、スクリーン１１の上昇、停止、上昇、停止を繰返すことができる。
【００３２】
次に、ローマンシェードのスクリーン１１の下降をさせる場合について説明する。図４及び図６の状態から、操作部である昇降コード１３の他端を緩やかに引下げる。これにより、図４及び図６中、昇降コード１３は左側へと移動し、昇降コード１３の移動に追随して、スライダ２４が移動する。これに伴って、相対的に係合子３４が挟持部３１ａを出発して第１溝３１ｃを移動し、高速操作係止部３１ｂに向う。そして、係合子３４が第１溝３１ｃに形成された抵抗増大部３２ｄに達した状態（図２（ｂ））では、歯付きローラ２９ａがアッパ歯部２９ｂから離間して、昇降コード１３が解放された状態となる。また、その係合子３４が抵抗増大部３２ｄに達すると、係合子３４の許容部３１ｅに対向する位置から高速操作係止部３１ｂまでの移動抵抗が増大する。この状態で昇降コード１３を緩やかに引下げ続けると、係合子３４が抵抗増大部３２ｄに係止したまま、スクリーン１１が緩やかに上昇する。
【００３３】
この状態で、操作者が昇降コード１３の他端の緩やかな引下げ操作を停止して昇降コード１３の他端の引下げ力を解除する。すると、スクリーン１１及びウエイトバー１８の自重によって、昇降コード１３は右側へ移動しようとするけれども、挟持位置から高速操作係止位置に向うスライダ２４が高速操作係止位置の手前で挟持位置に戻ろうとすることになり、図２（ｃ）に示すように、第１溝３１ｃ内の係合子３４は許容部３１ｅに移動し、その係合子３４はその許容部３１ｅに係止され（図２（ｄ））、第１溝３１ｃを介してその係合子３４が挟持部３１ａに戻ることが阻止される。これにより、それ以上のスライダ２４のケース２６に対する移動は規制される。この状態では、歯付きローラ２９ａがアッパ歯部２９ｂから離間するため、もはや歯付きローラ２９ａとアッパ歯部２９ｂとにより昇降コード１３が挟持されておらず、昇降コード１３は解放されており、スクリーン１１及びウエイトバー１８の自重によって、昇降コード１３の一端は下降し、スクリーン１１は下降する。
【００３４】
スクリーン１１が下降している状態から、昇降コード１３の他端を素早く少し引下げた後、その力を解除すると、最初に昇降コード１３は左側へと移動して、昇降コード１３の移動に追随してスライダ２４が移動して、相対的に係合子３４が許容部３１ｅを出発して、図１（ｅ）の高速操作係止部３１ｂに達する。次いで、その力を解除した段階で昇降コード１３は右側へと移動し、昇降コード１３の移動に追随してスライダ２４が移動し、相対的に係合子３４が挟持部３１ａへと向い、スライダ２４は、昇降コード１３とともに右端へと移動する。これにより、図４及び図６に示すように歯付きローラ２９ａがロア歯部２９ｃによって右端へと向うに従いアッパ歯部２９ｂに接近するように上昇し、歯付きローラ２９ａとアッパ歯部２９ｂとにより昇降コード１３を挟み付ける。このため、昇降コード１３の移動は拘束され、スクリーン１１は停止する。以上の動作、即ち、昇降コード１３を緩やかに引下げた後にその引下げ力を解除することにより、係合子３４を許容部３１ｅに係止させて、スクリーン１１を下降させることができる。そして、スクリーン１１を下降させている途中で昇降コードを素早く引下げる操作を行うと、スクリーン１１を上昇させることもでき、その途中でスクリーン１１を停止させることもできる。
【００３５】
なお、この実施の形態では、ケースに第１案内カム溝を設け、スライダに第２案内カム溝を設け、第１案内カム溝と第２案内カム溝との間に係合子を収容したが、ケースに第２案内カム溝を設け、スライダに第１案内カム溝を設け、第２案内カム溝と第１案内カム溝との間に係合子を収容してもよい。また、この実施の形態では、係合子が球状である場合を説明したが、この係合子はピン部を有する円柱状物、即ち略独楽形状のものであってもよい。この場合であっても、係合子が第１溝の途中の抵抗増大部から高速操作係止部まで移動するときの移動抵抗を増大させることができる。
【符号の説明】
【００３６】
１０  ローマンシェード（ブラインド）
１２  ヘッドレール
１３  昇降コード
２０  ストッパ装置
２４  スライダ
２６  ケース
３１  第１案内カム溝
３１ａ  挟持部
３１ｂ  高速操作係止部
３１ｃ  第１溝
３１ｄ  第２溝
３１ｅ  許容部
３１ｆ  リブ
３２  第２案内カム溝
３２ａ  浅溝
３２ｂ  深溝
３２ｃ  連結溝
３２ｄ  抵抗増大部
３４  係合子
【図１】
2010196320.tif 000003
【図２】
2010196320.tif 000004
【図３】
2010196320.tif 000005
【図４】
2010196320.tif 000006
【図５】
2010196320.tif 000007
【図６】
2010196320.tif 000008
【図７】
2010196320.tif 000009
【図８】
2010196320.tif 000010
【図９】
2010196320.tif 000011
【図１０】
2010196320.tif 000012
【図１１】
2010196320.tif 000013
【図１２】
2010196320.tif 000014